【手続補正書】
【提出日】平成23年11月15日(2011.11.15)
【手続補正１】
【補正対象書類名】明細書
【補正対象項目名】発明の名称
【補正方法】変更
【補正の内容】
【発明の名称】画像生成装置、サーバ装置、および、プログラム
【手続補正２】
【補正対象書類名】明細書
【補正対象項目名】０００１
【補正方法】変更
【補正の内容】
【０００１】
本発明は、画像生成装置、サーバ装置、および、プログラムに関し、特に、表示画面サイズが狭小な場合に好適な画像生成装置、サーバ装置、および、プログラムに関する。
【手続補正３】
【補正対象書類名】明細書
【補正対象項目名】０００７
【補正方法】変更
【補正の内容】
【０００７】
本発明は、上記実状に鑑みてなされたものであり、表示環境に合わせて良好な画像生成を実現することのできる画像生成装置、サーバ装置、および、プログラムを提供することを目的とする。
【手続補正４】
【補正対象書類名】明細書
【補正対象項目名】０００８
【補正方法】変更
【補正の内容】
【０００８】
上記目的を達成するため、本発明の第１の観点にかかる画像生成装置は、
少なくともラスタ画像を含む表示用画像を生成する画像生成装置であって、
前記ラスタ画像に含まれる文字を認識し、該認識した文字を示す文字画像を抽出する文字抽出手段と、
前記文字抽出手段が抽出した文字画像の前記ラスタ画像上での座標を算出する文字座標算出手段と、
前記表示用画像を表示する画面の画面サイズに合わせて前記ラスタ画像を変形する画像変形手段と、
前記画像変形手段による前記ラスタ画像の変形にかかる変形率に基づいて、前記文字抽出手段が抽出した文字の表示サイズを補正する文字サイズ補正手段と、
前記ラスタ画像の変形率に基づいて、前記文字座標算出手段が算出した座標を補正する文字座標補正手段と、
前記画像変形手段が変形した前記ラスタ画像に、少なくとも、前記文字サイズ補正手段が補正した文字サイズの文字画像を、前記文字座標補正手段が補正した座標で合成する画像合成手段と、
前記画像合成手段が合成した表示用画像を出力する出力制御手段と、
を備えることを特徴とする。
【手続補正５】
【補正対象書類名】明細書
【補正対象項目名】０００９
【補正方法】変更
【補正の内容】
【０００９】
上記画像生成装置は、
前記文字抽出手段は、前記ラスタ画像から抽出した文字をテキストデータに変換する文字変換手段をさらに備えていることが望ましく、この場合、
前記画像合成手段は、前記文字変換手段が変換したテキストデータを前記変形したラスタ画像に合成することが望ましい。
【手続補正６】
【補正対象書類名】明細書
【補正対象項目名】００１０
【補正方法】変更
【補正の内容】
【００１０】
上記画像生成装置において、
前記画像変形手段は、少なくとも、前記文字抽出手段が抽出した文字を除いた前記ラスタ画像を変形することを特徴とする。
【手続補正７】
【補正対象書類名】明細書
【補正対象項目名】００１１
【補正方法】変更
【補正の内容】
【００１１】
上記画像生成装置は、
前記ラスタ画像に含まれる線分を認識し、該認識した線分を示す線分画像を抽出する線分抽出手段と、
前記線分抽出手段が抽出した線分画像の前記ラスタ画像上での座標を算出する線分座標算出手段と、
前記画像変形手段による前記ラスタ画像の変形にかかる変形率に基づいて、前記線分抽出手段が抽出した線分の表示サイズを補正する線分サイズ補正手段と、
前記ラスタ画像の変形率に基づいて、前記線分座標算出手段が算出した座標を補正する線分座標補正手段と、をさらに備えていることが望ましく、この場合、
前記画像合成手段は、前記画像変形手段が変形した前記ラスタ画像に、前記線分サイズ補正手段が補正した線分サイズの線分画像を、前記線分座標補正手段が補正した座標で合成することが望ましい。
【手続補正８】
【補正対象書類名】明細書
【補正対象項目名】００１２
【補正方法】変更
【補正の内容】
【００１２】
上記画像生成装置において、
前記画像変形手段は、少なくとも、前記線分抽出手段が抽出した線分を除いた前記ラスタ画像を変形することを特徴とする。
【手続補正９】
【補正対象書類名】明細書
【補正対象項目名】００１３
【補正方法】変更
【補正の内容】
【００１３】
上記画像生成装置は、
前記線分抽出手段は、前記ラスタ画像から抽出した線分画像をベクタ画像に変換する線分変換手段をさらに備えていることが望ましく、この場合、
前記画像合成手段は、前記線分変換手段が変換したベクタ画像を前記変形したラスタ画像に合成することが望ましい。
【手続補正１０】
【補正対象書類名】明細書
【補正対象項目名】００１４
【補正方法】変更
【補正の内容】
【００１４】
上記画像生成装置において、
前記画像変形手段が変形する前記ラスタ画像はグラフを示すものであることが望ましく、この場合、
前記文字抽出手段が抽出する前記文字は、該グラフに付随する文字列とすることができる。
上記画像生成装置において、
前記出力制御手段は、前記画像合成手段が合成した表示用画像を当該画像生成装置が備える表示部に出力することを特徴とする。
上記画像生成装置において、
前記出力制御手段は、前記画像合成手段が合成した表示用画像を表示する表示部を備えた外部機器に出力することを特徴とする。
【手続補正１１】
【補正対象書類名】明細書
【補正対象項目名】００１６
【補正方法】変更
【補正の内容】
【００１６】
上記目的を達成するため、本発明の第３の観点にかかるプログラムは、
少なくともラスタ画像を含む表示用画像を生成させる装置を制御するコンピュータに、
前記ラスタ画像に含まれる文字を認識し、該認識した文字を示す文字画像を抽出する機能と、
前記抽出した文字画像の前記ラスタ画像上での座標を算出する機能と、
前記表示用画像を表示する画面の画面サイズに合わせて前記ラスタ画像を変形する機能と、
前記ラスタ画像の変形にかかる変形率に基づいて、前記抽出した文字の表示サイズを補正する機能と、
前記ラスタ画像の変形率に基づいて、前記算出した文字画像の座標を補正する機能と、
前記変形させた前記ラスタ画像に、少なくとも、前記補正した文字サイズの文字画像を、前記補正した座標で合成する機能と、
前記合成した表示用画像を出力する機能と、
を実現させることを特徴とする。
【手続補正１２】
【補正対象書類名】明細書
【補正対象項目名】００１９
【補正方法】変更
【補正の内容】
【００１９】
（実施形態１）
本発明にかかる実施形態を、図面を参照して以下に説明する。本実施形態では、移動体通信端末によって本発明にかかる画像生成装置を実現した場合を例示する。すなわち、本実施形態にかかる移動体通信端末１００は、基本機能である通話・通信機能に加え、少なくともラスタ画像を含む画像を表示出力することができるものとする。本実施形態では、ビジネス文書などで用いられるような、グラフを含んだ画像を移動体通信端末１００で表示する場合を想定する。
【手続補正１３】
【補正対象書類名】明細書
【補正対象項目名】０１０８
【補正方法】変更
【補正の内容】
【０１０８】
また、本発明を上記実施形態１で例示した移動体通信端末１００のような端末装置や、実施形態２で例示したサーバ３００などのサーバ装置で実現する場合においては、本発明にかかる構成や機能を予め備えた端末装置やサーバ装置として提供できる他、制御部１１０や制御部３１０の各機能と同様の機能を実現するプログラムを適用することにより、既存の端末装置やサーバ装置を本発明にかかる画像生成装置やサーバ装置として機能させることもできる。
【手続補正１４】
【補正対象書類名】特許請求の範囲
【補正対象項目名】全文
【補正方法】変更
【補正の内容】
【特許請求の範囲】
【請求項１】
少なくともラスタ画像を含む表示用画像を生成する画像生成装置であって、
前記ラスタ画像に含まれる文字を認識し、該認識した文字を示す文字画像を抽出する文字抽出手段と、
前記文字抽出手段が抽出した文字画像の前記ラスタ画像上での座標を算出する文字座標算出手段と、
前記表示用画像を表示する画面の画面サイズに合わせて前記ラスタ画像を変形する画像変形手段と、
前記画像変形手段による前記ラスタ画像の変形にかかる変形率に基づいて、前記文字抽出手段が抽出した文字の表示サイズを補正する文字サイズ補正手段と、
前記ラスタ画像の変形率に基づいて、前記文字座標算出手段が算出した座標を補正する文字座標補正手段と、
前記画像変形手段が変形した前記ラスタ画像に、少なくとも、前記文字サイズ補正手段が補正した文字サイズの文字画像を、前記文字座標補正手段が補正した座標で合成する画像合成手段と、
前記画像合成手段が合成した表示用画像を出力する出力制御手段と、
を備えることを特徴とする画像生成装置。
【請求項２】
前記文字抽出手段は、前記ラスタ画像から抽出した文字をテキストデータに変換する文字変換手段をさらに備え、
前記画像合成手段は、前記文字変換手段が変換したテキストデータを前記変形したラスタ画像に合成する、
ことを特徴とする請求項１に記載の画像生成装置。
【請求項３】
前記画像変形手段は、少なくとも、前記文字抽出手段が抽出した文字を除いた前記ラスタ画像を変形する、
ことを特徴とする請求項１または２に記載の画像生成装置。
【請求項４】
前記ラスタ画像に含まれる線分を認識し、該認識した線分を示す線分画像を抽出する線分抽出手段と、
前記線分抽出手段が抽出した線分画像の前記ラスタ画像上での座標を算出する線分座標算出手段と、
前記画像変形手段による前記ラスタ画像の変形にかかる変形率に基づいて、前記線分抽出手段が抽出した線分の表示サイズを補正する線分サイズ補正手段と、
前記ラスタ画像の変形率に基づいて、前記線分座標算出手段が算出した座標を補正する線分座標補正手段と、をさらに備え、
前記画像合成手段は、前記画像変形手段が変形した前記ラスタ画像に、前記線分サイズ補正手段が補正した線分サイズの線分画像を、前記線分座標補正手段が補正した座標で合成する、
ことを特徴とする請求項１乃至３のいずれか１項に記載の画像生成装置。
【請求項５】
前記画像変形手段は、少なくとも、前記線分抽出手段が抽出した線分を除いた前記ラスタ画像を変形する、
ことを特徴とする請求項４に記載の画像生成装置。
【請求項６】
前記線分抽出手段は、前記ラスタ画像から抽出した線分画像をベクタ画像に変換する線分変換手段をさらに備え、
前記画像合成手段は、前記線分変換手段が変換したベクタ画像を前記変形したラスタ画像に合成する、
ことを特徴とする請求項４または５に記載の画像生成装置。
【請求項７】
前記画像変形手段が変形する前記ラスタ画像はグラフを示し、
前記文字抽出手段が抽出する前記文字は、該グラフに付随する文字列である、
ことを特徴とする請求項１乃至６のいずれか１項に記載の画像生成装置。
【請求項８】
前記出力制御手段は、前記画像合成手段が合成した表示用画像を当該画像生成装置が備える表示部に出力する、
ことを特徴とする請求項１乃至７のいずれか１項に記載の画像生成装置。
【請求項９】
前記出力制御手段は、前記画像合成手段が合成した表示用画像を表示する表示部を備えた外部機器に出力する、
ことを特徴とする請求項１乃至７のいずれか１項に記載の画像生成装置。
【請求項１０】
シンクライアント装置からの入力操作に基づいて処理をおこない、該処理によって生成した表示画面を前記シンクライアント装置に転送する、シンクライアントシステムのサーバ装置であって、
前記処理によって生成されるラスタ画像に含まれる文字を認識し、該認識した文字を示す文字画像を抽出する文字抽出手段と、
前記文字抽出手段が抽出した文字画像の前記ラスタ画像上での座標を算出する文字座標算出手段と、
前記シンクライアント装置の画面サイズに合わせて前記ラスタ画像を変形する画像変形手段と、
前記画像変形手段による前記ラスタ画像の変形にかかる変形率に基づいて、前記文字抽出手段が抽出した文字の表示サイズを補正する文字サイズ補正手段と、
前記ラスタ画像の変形率に基づいて、前記文字座標算出手段が算出した座標を補正する文字座標補正手段と、
前記画像変形手段が変形した前記ラスタ画像に、少なくとも、前記文字サイズ補正手段が補正した文字サイズの文字画像を、前記文字座標補正手段が補正した座標で合成して前記表示画面を生成する画像合成手段と、
を備えることを特徴とするサーバ装置。
【請求項１１】
少なくともラスタ画像を含む表示用画像を生成させる装置を制御するコンピュータに、
前記ラスタ画像に含まれる文字を認識し、該認識した文字を示す文字画像を抽出する機能と、
前記抽出した文字画像の前記ラスタ画像上での座標を算出する機能と、
前記表示用画像を表示する画面の画面サイズに合わせて前記ラスタ画像を変形する機能と、
前記ラスタ画像の変形にかかる変形率に基づいて、前記抽出した文字の表示サイズを補正する機能と、
前記ラスタ画像の変形率に基づいて、前記算出した文字画像の座標を補正する機能と、
前記変形させた前記ラスタ画像に、少なくとも、前記補正した文字サイズの文字画像を、前記補正した座標で合成する機能と、
前記合成した表示用画像を出力する機能と、
を実現させることを特徴とするプログラム。